(57)【要約】【課題】建築現場での作業効率を向上させることが可能な新たなコーナー部材を提供する。【解決手段】コーナー部材は、被覆部材を備える。被覆部材は、コーナー部材が第一壁面及び第二壁面による角部に設置された設置状態で、第一壁面に設けられた第一化粧部材の第一端部と、第二壁面に設けられた第二化粧部材の第二端部と、角部に対応し且つ第一端部及び第二端部と隣り合う角空間を覆う。被覆部材は、第一被覆部と第二被覆部と第三被覆部を含む。第一被覆部は、第一化粧部材の表面の側から第一端部と角空間を覆う。第二被覆部は、第二化粧部材の表面の側から第二端部と角空間を覆う。第三被覆部は、高さ方向の中央側から第一端部と角空間と第二端部を覆う。第三被覆部では、第一壁面及び第二壁面に沿った第一壁面及び第二壁面の各側の縁部の高さ方向の中央側の面は、第一壁面及び第二壁面の各側に向かって高さ方向の端側に傾斜した傾斜面とされる。【選択図】図７
2018204428.tif 000002
【特許請求の範囲】
【請求項１】
幅木及び回り縁の何れかである化粧部材が設けられた建物内の第一壁面及び第二壁面による角部に前記化粧部材と共に設置されるコーナー部材であって、
前記コーナー部材が前記角部に設置された設置状態で、前記第一壁面に設けられた前記化粧部材としての第一化粧部材の前記第二壁面の側となる第一端部と、前記第二壁面に設けられた前記化粧部材としての第二化粧部材の前記第一壁面の側となる第二端部と、前記角部に対応し且つ前記第一端部及び前記第二端部と隣り合う角空間と、を覆う被覆部材を備え、
前記被覆部材は、
前記第一化粧部材の前記第一壁面の側となる裏面とは反対の表面の側から、前記第一端部と前記角空間とを覆う第一被覆部と、
前記第二化粧部材の前記第二壁面の側となる裏面とは反対の表面の側から、前記第二端部と前記角空間とを覆う第二被覆部と、
前記第一壁面及び前記第二壁面の高さ方向の中央側から、前記第一端部と前記角空間と前記第二端部とを覆う第三被覆部と、を含み、
前記被覆部材では、前記第一被覆部と前記第二被覆部と前記第三被覆部とは、一体とされ、
前記第三被覆部では、前記第一壁面及び前記第二壁面に沿った前記第一壁面及び前記第二壁面の各側の縁部の前記高さ方向の中央側の面は、前記第一壁面及び前記第二壁面の各側に向かって前記高さ方向の中央側とは反対の端側に傾斜した傾斜面とされる、コーナー部材。
【請求項２】
前記コーナー部材は、
前記第一壁面及び前記第二壁面による前記角部としての入隅に前記第一化粧部材及び前記第二化粧部材と共に設置され、更に、
前記設置状態で、前記第一端部の第一端面と、前記第二端部の第二端面と、前記入隅に対応する前記第一壁面及び前記第二壁面の各領域と、に囲まれた、前記角空間としての収容空間に収容される支持部材を備え、
前記支持部材は、
前記入隅に沿って配置される基部と、
第一係合部と、を含み、
前記被覆部材は、
前記設置状態で、前記支持部材に支持され且つ前記第一端部と前記第二端部と前記収容空間とを覆い、更に、
第二係合部を含み、
前記支持部材では、前記基部と前記第一係合部とは、一体とされ、
前記被覆部材では、前記第一被覆部と前記第二被覆部と前記第三被覆部と前記第二係合部とは、一体とされ、
前記被覆部材は、前記第一係合部と前記第二係合部とが係合した状態で、前記支持部材に支持される、請求項１に記載のコーナー部材。
【請求項３】
幅木及び回り縁の何れかである化粧部材が設けられた建物内の第一壁面及び第二壁面による入隅に前記化粧部材と共に設置されるコーナー部材であって、
前記コーナー部材が前記入隅に設置された設置状態で、前記第一壁面に設けられた前記化粧部材としての第一化粧部材の前記第二壁面の側となる第一端部の第一端面と、前記第二壁面に設けられた前記化粧部材としての第二化粧部材の前記第一壁面の側となる第二端部の第二端面と、前記入隅に対応する前記第一壁面及び前記第二壁面の各領域と、に囲まれた収容空間に収容される支持部材と、
前記設置状態で、前記支持部材に支持され且つ前記第一端部と前記第二端部と前記収容空間とを覆う被覆部材と、を備え、
前記支持部材は、
前記入隅に沿って配置される基部と、
第一係合部と、を含み、
前記被覆部材は、
前記第一化粧部材の前記第一壁面の側となる裏面とは反対の表面の側から、前記第一端部と前記収容空間とを覆う第一被覆部と、
前記第二化粧部材の前記第二壁面の側となる裏面とは反対の表面の側から、前記第二端部と前記収容空間とを覆う第二被覆部と、
前記第一壁面及び前記第二壁面の高さ方向の中央側から、前記第一端部と前記収容空間と前記第二端部とを覆う第三被覆部と、
第二係合部と、を含み、
前記支持部材では、前記基部と前記第一係合部とは、一体とされ、
前記被覆部材では、前記第一被覆部と前記第二被覆部と前記第三被覆部と前記第二係合部とは、一体とされ、
前記被覆部材は、前記第一係合部と前記第二係合部とが係合した状態で、前記支持部材に支持される、コーナー部材。
【請求項４】
前記支持部材は、
前記基部より前記第一端面の側に設けられ、前記第一端面と接する第一接触部と、
前記基部より前記第二端面の側に設けられ、前記第二端面と接する第二接触部と、を含み、
前記支持部材では、前記基部と前記第一係合部と前記第一接触部と前記第二接触部とは、一体とされる、請求項２又は請求項３に記載のコーナー部材。
【請求項５】
前記支持部材は、
前記第二壁面と前記第一端面との間隔に応じた形態へと前記第一接触部を変形させる第一変形部と、
前記第一壁面と前記第二端面との間隔に応じた形態へと前記第二接触部を変形させる第二変形部と、を含み、
前記支持部材では、前記基部と前記第一係合部と前記第一接触部と前記第二接触部と前記第一変形部と前記第二変形部とは、一体とされる、請求項４に記載のコーナー部材。
【請求項６】
前記第一変形部は、前記第一接触部に設けられ、
前記第二変形部は、前記第二接触部に設けられる、請求項５に記載のコーナー部材。
【発明の詳細な説明】
【技術分野】
【０００１】
本発明は、幅木及び回り縁の何れかである化粧部材と共に設置されるコーナー部材に関する。
【背景技術】
【０００２】
コーナー部材に関する技術が提案されている。例えば、特許文献１には、出隅用コーナー部材及び入隅用コーナー部材について、２つの形態が開示されている。第一の出隅用コーナー部材は、上部水平片と垂下片で構成される。上部水平片及び垂下片の少なくとも何れかでは、左右両方の端縁にテーパー部が設けられる。第一の出隅用コーナー部材には、上部水平片の内側端縁から垂下片と略平行して垂下した保持片が設けられる。保持片と垂下片と上部水平片は、巾木のコーナー側端縁の表面と裏面及び上部木端面を保持する。垂下片の下部には、下部水平片が設けられる。上部水平片と下部水平片は、巾木の上部木端面と下部木端面を挟持する。第二の入隅用コーナー部材は、上部水平片と垂下片で構成される。上部水平片及び垂下片の少なくとも何れかでは、左右両方の端縁にテーパー部が設けられる。第二の入隅用コーナー部材には、裏面に突出部が形成される。突出部は、内装材に嵌入される。突出部には、垂下片と略平行な顎部が形成される。垂下片と顎部は、巾木を保持する。第二の入隅用コーナー部材には、下部水平片が設けられる。上部水平片と下部水平片は、巾木を保持する。特許文献１では、第一の入隅用コーナー部材は、入隅コーナー部に対応した形状とされる以外、第一の出隅用コーナー部材と基本的な構成は同様であり、また、第二の出隅用コーナー部材は、出隅コーナー部に対応した形状とされる以外、第二の入隅用コーナー部材と基本的な構成は同様である、とされている。
【先行技術文献】
【特許文献】
【０００３】
【特許文献１】特開２００９−２８１０５２号公報
【発明の概要】
【発明が解決しようとする課題】
【０００４】
建物では、部屋又は廊下のような空間を形成する複数の壁面の下端又は上端に化粧部材が設けられる。例えば、２つの第一壁面及び第二壁面が所定の角度で出会う入隅又は出隅といった角部では、化粧部材と共にコーナー部材が設置されることがある。コーナー部材は、第一化粧部材の第一端部と、第二化粧部材の第二端部と、角空間を覆う。第一化粧部材は、第一壁面に設けられた化粧部材である。第一化粧部材の第一端部は、第一化粧部材の第二壁面の側となる端部である。第二化粧部材は、第二壁面に設けられた化粧部材である。第二化粧部材の第二端部は、第二化粧部材の第一壁面の側となる端部である。角空間は、前述した角部に対応し且つ第一端部及び第二端部と隣り合う空間である。発明者は、建築現場で行われるコーナー部材に関わる作業を対象として、建築現場での作業効率を向上させることが可能な新たなコーナー部材について検討した。その際、発明者は、第一化粧部材及び第二化粧部材が設けられた角部に容易に設置可能なコーナー部材の構造を考慮した。
【０００５】
本発明は、建築現場での作業効率を向上させることが可能な新たなコーナー部材を提供することを目的とする。
【課題を解決するための手段】
【０００６】
本発明の一側面は、幅木及び回り縁の何れかである化粧部材が設けられた建物内の第一壁面及び第二壁面による角部に前記化粧部材と共に設置されるコーナー部材であって、前記コーナー部材が前記角部に設置された設置状態で、前記第一壁面に設けられた前記化粧部材としての第一化粧部材の前記第二壁面の側となる第一端部と、前記第二壁面に設けられた前記化粧部材としての第二化粧部材の前記第一壁面の側となる第二端部と、前記角部に対応し且つ前記第一端部及び前記第二端部と隣り合う角空間と、を覆う被覆部材を備え、前記被覆部材は、前記第一化粧部材の前記第一壁面の側となる裏面とは反対の表面の側から、前記第一端部と前記角空間とを覆う第一被覆部と、前記第二化粧部材の前記第二壁面の側となる裏面とは反対の表面の側から、前記第二端部と前記角空間とを覆う第二被覆部と、前記第一壁面及び前記第二壁面の高さ方向の中央側から、前記第一端部と前記角空間と前記第二端部とを覆う第三被覆部と、を含み、前記被覆部材では、前記第一被覆部と前記第二被覆部と前記第三被覆部とは、一体とされ、前記第三被覆部では、前記第一壁面及び前記第二壁面に沿った前記第一壁面及び前記第二壁面の各側の縁部の前記高さ方向の中央側の面は、前記第一壁面及び前記第二壁面の各側に向かって前記高さ方向の中央側とは反対の端側に傾斜した傾斜面とされる、コーナー部材である。
【０００７】
このコーナー部材によれば、次の側面のうち、第三被覆部により覆われなくなる境界位置で、第三被覆部の厚みに基づく段差の発生を防止又は抑制することができる。前述の側面は、第一化粧部材及び第二化粧部材の高さ方向の中央側となる各側面である。例えば、建物では、第一壁面及び第二壁面に壁紙が貼られることがある。前述の段差をなくすことで、建築現場での壁紙の施工をスムーズに行うことができる。第一壁面に貼られた壁紙を、第一化粧部材及びコーナー部材に沿って直線的に切断することができる。第二壁面に貼られた壁紙を、第二化粧部材及びコーナー部材に沿って直線的に切断することができる。上述のコーナー部材とは異なり、第三被覆部の縁部が傾斜面ではないコーナー部材では、壁紙を切断するに際し、例えば、このコーナー部材を角部から取り外すといった追加の作業が必要となることが想定される。また、次の各領域には、第一化粧部材及び第二化粧部材は設けられない。前述の各領域は、角空間に対応する第一壁面の領域及び第二壁面の領域である。そのため、第三被覆部の縁部が傾斜面ではないコーナー部材では、前述の各領域で第一化粧部材及び第二化粧部材の何れかに沿って壁紙を直線的に切断する場合、次のような用具を別途用いなければならなくなることも想定される。前述の用具は、前述の各領域で壁紙の直線的な切断を補助するための道具である。上述のコーナー部材では、このような追加の作業は、行わなくてよく、更に、前述の用具は、不要である。
【０００８】
前記コーナー部材は、前記第一壁面及び前記第二壁面による前記角部としての入隅に前記第一化粧部材及び前記第二化粧部材と共に設置され、更に、前記設置状態で、前記第一端部の第一端面と、前記第二端部の第二端面と、前記入隅に対応する前記第一壁面及び前記第二壁面の各領域と、に囲まれた、前記角空間としての収容空間に収容される支持部材を備え、前記支持部材は、前記入隅に沿って配置される基部と、第一係合部と、を含み、前記被覆部材は、前記設置状態で、前記支持部材に支持され且つ前記第一端部と前記第二端部と前記収容空間とを覆い、更に、第二係合部を含み、前記支持部材では、前記基部と前記第一係合部とは、一体とされ、前記被覆部材では、前記第一被覆部と前記第二被覆部と前記第三被覆部と前記第二係合部とは、一体とされ、前記被覆部材は、前記第一係合部と前記第二係合部とが係合した状態で、前記支持部材に支持される、ようにしてもよい。
【０００９】
この構成によれば、収容空間に収容された支持部材により被覆部材を支持することができる。第一化粧部材が設けられた第一壁面と第二化粧部材が設けられた第二壁面による入隅に、コーナー部材を容易に設置することができる。例えば、建築現場では、次のような作業により、入隅にコーナー部材を設置することができる。即ち、第一化粧部材が第一壁面に設けられ、第二化粧部材が第二壁面に設けられる。これに伴い、収容空間が形成される。その後、支持部材が収容空間に収容され、被覆部材が収容空間に収容された支持部材に取り付けられる。即ち、被覆部材の第二係合部が収容空間に収容された支持部材の第一係合部に係合される。建築現場での作業を単純化できる。被覆部材により、第一端部と第二端部と収容空間を覆うことができる。
【００１０】
本発明の他の側面は、幅木及び回り縁の何れかである化粧部材が設けられた建物内の第一壁面及び第二壁面による入隅に前記化粧部材と共に設置されるコーナー部材であって、前記コーナー部材が前記入隅に設置された設置状態で、前記第一壁面に設けられた前記化粧部材としての第一化粧部材の前記第二壁面の側となる第一端部の第一端面と、前記第二壁面に設けられた前記化粧部材としての第二化粧部材の前記第一壁面の側となる第二端部の第二端面と、前記入隅に対応する前記第一壁面及び前記第二壁面の各領域と、に囲まれた収容空間に収容される支持部材と、前記設置状態で、前記支持部材に支持され且つ前記第一端部と前記第二端部と前記収容空間とを覆う被覆部材と、を備え、前記支持部材は、前記入隅に沿って配置される基部と、第一係合部と、を含み、前記被覆部材は、前記第一化粧部材の前記第一壁面の側となる裏面とは反対の表面の側から、前記第一端部と前記収容空間とを覆う第一被覆部と、前記第二化粧部材の前記第二壁面の側となる裏面とは反対の表面の側から、前記第二端部と前記収容空間とを覆う第二被覆部と、前記第一壁面及び前記第二壁面の高さ方向の中央側から、前記第一端部と前記収容空間と前記第二端部とを覆う第三被覆部と、第二係合部と、を含み、前記支持部材では、前記基部と前記第一係合部とは、一体とされ、前記被覆部材では、前記第一被覆部と前記第二被覆部と前記第三被覆部と前記第二係合部とは、一体とされ、前記被覆部材は、前記第一係合部と前記第二係合部とが係合した状態で、前記支持部材に支持される、コーナー部材である。
【００１１】
このコーナー部材によれば、上記同様、収容空間に収容された支持部材により被覆部材を支持することができる。第一化粧部材が設けられた第一壁面と第二化粧部材が設けられた第二壁面による入隅に、コーナー部材を容易に設置することができる。例えば、建築現場では、上述した通り、収容空間が形成され、支持部材が収容空間に収容され、被覆部材が収容空間に収容された支持部材に取り付けられる。即ち、被覆部材の第二係合部が収容空間に収容された支持部材の第一係合部に係合される。建築現場での作業を単純化できる。被覆部材により、第一端部と第二端部と収容空間を覆うことができる。
【００１２】
コーナー部材では、前記支持部材は、前記基部より前記第一端面の側に設けられ、前記第一端面と接する第一接触部と、前記基部より前記第二端面の側に設けられ、前記第二端面と接する第二接触部と、を含み、前記支持部材では、前記基部と前記第一係合部と前記第一接触部と前記第二接触部とは、一体とされる、ようにしてもよい。
【００１３】
この構成によれば、第一接触部に作用する第一端面からの反力と第二接触部に作用する第二端面からの反力により、収容空間に収容された支持部材を入隅に固定することができる。
【００１４】
コーナー部材では、前記支持部材は、前記第二壁面と前記第一端面との間隔に応じた形態へと前記第一接触部を変形させる第一変形部と、前記第一壁面と前記第二端面との間隔に応じた形態へと前記第二接触部を変形させる第二変形部と、を含み、前記支持部材では、前記基部と前記第一係合部と前記第一接触部と前記第二接触部と前記第一変形部と前記第二変形部とは、一体とされる、ようにしてもよい。この場合、前記第一変形部は、前記第一接触部に設けられ、前記第二変形部は、前記第二接触部に設けられる、ようにしてもよい。
【００１５】
この構成によれば、支持部材に、収容空間の大きさに対する柔軟性を持たせることができる。例えば、建築現場で、第一化粧部材及び第二化粧部材がこれらの資材から切断される場合、第一化粧部材及び第二化粧部材では、切断後の寸法に誤差が生じることが想定される。第一化粧部材及び第二化粧部材の一方又は両方に誤差が生じた場合、例えば、施工後の収容空間の大きさが設計上の大きさから変化する。第一変形部により第一接触部を変形させ、第二変形部により第二接触部を変形させることで、前述したようにして生じ得る収容空間の大きさのばらつきに適宜対応することができる。第一化粧部材及び第二化粧部材に対する寸法精度の要求を抑制することができる。
【００１６】
第一変形部を特定する上述の「前記第二壁面と前記第一端面との間隔に応じた形態へと前記第一接触部を変形させる」及び第二変形部を特定する上述の「前記第一壁面と前記第二端面との間隔に応じた形態へと前記第二接触部を変形させる」は、広く解釈される。即ち、「前記第二壁面と前記第一端面との間隔に応じた形態へと前記第一接触部を変形させる」は、第一接触部自体の形状を前述の間隔に応じた形態へと変形させる場合の他、例えば、基部に対する第一接触部の向き及び配置を前述の間隔に応じて異なる形態へと変形させる場合を含む。「前記第一壁面と前記第二端面との間隔に応じた形態へと前記第二接触部を変形させる」は、第二接触部自体の形状を前述の間隔に応じた形態へと変形させる場合の他、例えば、基部に対する第二接触部の向き及び位置を前述の間隔に応じて異なる形態へと変形させる場合を含む。
【発明の効果】
【００１７】
本発明によれば、建築現場での作業効率を向上させることが可能な新たなコーナー部材を得ることができる。
【図面の簡単な説明】
【００１８】
【図１】第一壁面と第二壁面による角部にコーナー部材を設置した設置構造の概略構成の一例を示す斜視図である。角部が入隅である場合に対応する。第一壁面と第二壁面と床面が出会う建物内の空間の頂点部分を示す。
【図２】コーナー部材を入隅に設置する工程の一例を示す斜視図である。支持部材を収容空間に収容し、被覆部材を装着する状態を示す。収容空間は、図１に示す入隅に対応する。第一壁面と第二壁面と床面が出会う建物内の空間の頂点部分を示す。
【図３】コーナー部材の概略構成の一例を示す斜視図である。被覆部材が支持部材に支持された状態を示す。コーナー部材を支持部材及び被覆部材の側面側及び高さ方向の中央側から視た状態を示す。
【図４】支持部材の概略構成の一例を示す斜視図である。支持部材を着脱方向の離脱側（支持部材の正面側）及び高さ方向の中央側から視た状態を示す。
【図５】図４に示すＦ−Ｆ線断面図である。
【図６】入隅に設置されたコーナー部材の底面図である。図１に示すコーナー部材と第一化粧部材と第二化粧部材を高さ方向の端側（床側）から視た状態に対応する。
【図７】被覆部材の概略構成の一例を示す斜視図である。被覆部材を着脱方向の装着側（被覆部材の背面側）及び高さ方向の中央側から視た状態を示す。
【図８】図３に示すＤ−Ｄ線断面図である。
【図９】入隅に設置されたコーナー部材の底面図である。図６に示す状態と比較し、第一接触部及び第二接触部が変形された状態を示す。図１に示すコーナー部材と第一化粧部材と第二化粧部材を高さ方向の端側（床側）から視た状態に対応する。
【図１０】接触部の一部及び変形部の概略構成の他の例を示す部分斜視図である。上段は、図２に示す間隔Ａ，Ｂが図６に示す間隔Ａ１，Ｂ１である場合に対応する。下段は、図２に示す間隔Ａ，Ｂが図９に示す間隔Ａ２，Ｂ２である場合に対応する。
【図１１】上段は、入隅に設置されたコーナー部材の概略構成の他の例を示す部分拡大斜視図である。被覆部材の第三被覆部で縁部の第一面が水平面とされたコーナー部材に対応する。図示範囲は、図１に示すＣ部に対応する。下段は、図１に示すＣ部拡大斜視図である。
【図１２】第一壁面と第二壁面による角部にコーナー部材を設置した設置構造の概略構成の他の例を示す斜視図である。角部が入隅である場合に対応する。第一壁面と第二壁面と床面が出会う建物内の空間の頂点部分を示す。上段は、コーナー部材が出隅に設置された状態を示す。下段は、上段に示すＥ部拡大斜視図である。
【図１３】第一壁面及び第二壁面による角部が出隅である場合の角空間の概略構成の一例を示す斜視図である。角空間は、図１２上段に示す出隅に対応する。第一壁面に第一化粧部材が設けられ、第二壁面に第二化粧部材が設けられた状態を示す。
【発明を実施するための形態】
【００１９】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。
【００２０】
＜コーナー部材＞
コーナー部材１０について、図１〜図３を参照して説明する。図１及び図２と後述する図５及び図８で、ハッチングは、断面を示す。住宅等の建物では、部屋又は廊下のような空間を形成する複数の壁面の下端又は上端に化粧部材が設けられる。化粧部材は、幅木及び回り縁を含む概念である。幅木は、前述の壁面の下端となる、壁と床の取り合い部に設けられる。回り縁は、前述の壁面の上端となる、壁と天井の取り合い部に設けられる。幅木及び回り縁は、長手方向が水平方向となる状態で、前述の各取り合い部に設けられる。実施形態では、コーナー部材１０は、入隅用のコーナー部材とする。即ち、コーナー部材１０は、化粧部材が設けられた建物内の第一壁面８０及び第二壁面８１による入隅８２に設置される（図１参照）。第一壁面８０及び第二壁面８１は、所定の角度で接し、入隅８２を形成する。
【００２１】
実施形態では、コーナー部材１０が入隅８２に設置された状態を「設置状態」という。第一壁面８０に設けられた化粧部材を「第一化粧部材９０」という。第二壁面８１に設けられた化粧部材を「第二化粧部材９５」という。第一化粧部材９０及び第二化粧部材９５は、幅木とする。第一壁面８０及び第二壁面８１の高さ方向を「高さ方向」という。高さ方向は、鉛直方向に一致する。高さ方向の向きを定義する名称として、「中央側」及び「端側」を用いる。高さ方向の中央側は、図１及び図２と後述する図１３で、一点鎖線で示す中心線Ｍの側である。中心線Ｍは、第一壁面８０及び第二壁面８１の高さ方向の中心位置を通る仮想直線である。換言すれば、高さ方向の中央側は、第一壁面８０及び第二壁面８１の下端より鉛直方向の上側で、第一壁面８０及び第二壁面８１の上端より鉛直方向の下側である。第一壁面８０及び第二壁面８１の下端は、床面８４の側となる端部であり、第一壁面８０及び第二壁面８１の上端は、天井面（不図示）の側となる端部である。高さ方向の端側は、鉛直方向の下側又は上側である。実施形態のように、第一化粧部材９０及び第二化粧部材９５が幅木である場合、高さ方向の端側は、鉛直方向の下側となる。
【００２２】
コーナー部材１０は、支持部材２０と、被覆部材４０を備える（図２及び図３参照）。支持部材２０及び被覆部材４０は、例えば、合成樹脂製とされる。支持部材２０及び被覆部材４０を形成する合成樹脂としては、ＡＢＳ（Acrylonitrile Butadiene Styrene）樹脂が例示される。但し、支持部材２０及び被覆部材４０を形成する合成樹脂は、ＡＢＳ樹脂とは異なる合成樹脂としてもよい。支持部材２０は、樹脂成形により一体成形される。被覆部材４０は、樹脂成形により一体成形される。支持部材２０及び被覆部材４０は、１回の樹脂成形により同時に形成されてもよい。この場合、支持部材２０及び被覆部材４０は、所定の部分で繋がった状態となる。支持部材２０及び被覆部材４０は、樹脂成形用の金型から取り出された後、分離される。
【００２３】
支持部材２０は、設置状態で、角空間に収容される（図２参照）。被覆部材４０は、設置状態で、支持部材２０に支持される（図３参照）。被覆部材４０は、設置状態で、第一化粧部材９０の第一端部９１と第二化粧部材９５の第二端部９６と角空間を覆う（図１及び図２参照）。支持部材２０及び被覆部材４０については、後述する。前述の角空間は、第一壁面８０及び第二壁面８１による角部に対応し、且つ第一壁面８０に設けられた第一化粧部材９０の第一端部９１及び第二壁面８１に設けられた第二化粧部材９５の第二端部９６と隣り合う空間である。実施形態では、前述の角部は、入隅８２である。また、実施形態では、前述の角空間を「収容空間Ｓ」という（図２参照）。この場合、設置状態で、支持部材２０は、収容空間Ｓに収容され、被覆部材４０は、第一端部９１と第二端部９６と収容空間Ｓを覆う。角空間としての収容空間Ｓは、第一壁面８０に設けられた第一化粧部材９０の第一端部９１の第一端面９２と、第二壁面８１に設けられた第二化粧部材９５の第二端部９６の第二端面９７と、入隅８２に対応する第一壁面８０及び第二壁面８１の各領域に囲まれた空間ともいえる。前述の入隅８２に対応する第一壁面８０及び第二壁面８１の各領域は、次の通りである。即ち、第一壁面８０の領域は、第一壁面８０のうち、第二壁面８１から第一端面９２に至る間隔Ａ（図２参照）の領域である。第二壁面８１の領域は、第二壁面８１のうち、第一壁面８０から第二端面９７に至る間隔Ｂ（図２参照）の領域である。更に、収容空間Ｓは、第一端面９２と第二壁面８１の間で、且つ第二端面９７と第一壁面８０の間となる空間ともいえる。図２で、二点鎖線で示す支持部材２０は、収容空間Ｓに収容前の支持部材を示す。図２で、二点鎖線で示す領域Ｒ１は、収容空間Ｓに対応する便宜上の図示である。領域Ｒ１は、収容空間Ｓを平面視した形状に対応する。図２で、領域Ｒ１と収容空間Ｓの対応を示す４本の細線における矢印は、視認方向を示す。
【００２４】
第一端部９１は、第一化粧部材９０の第二壁面８１の側となる端部である。図２と後述する図６、図９及び図１３で、第一化粧部材９０の第二壁面８１の側となる端部に示す格子模様は、第一端部９１に対応する便宜上の図示である。第一端面９２は、第一端部９１の端面である。第二端部９６は、第二化粧部材９５の第一壁面８０の側となる端部である。図２と後述する図６、図９及び図１３で、第二化粧部材９５の第一壁面８０の側となる端部に示す格子模様は、第二端部９６に対応する便宜上の図示である。第二端面９７は、第二端部９６の端面である。
【００２５】
＜支持部材＞
支持部材２０について、図２及び図４〜図６を参照して説明する。この説明では、支持部材２０を特定するために用いる方向は、設置状態のコーナー部材１０を基準とした方向に準ずる。支持部材２０は、基部２２と、第一係合部２４と、第一接触部２８と、第二接触部３０と、第一変形部３２と、第二変形部３４を含む（図４参照）。支持部材２０では、基部２２と第一係合部２４と第一接触部２８と第二接触部３０と第一変形部３２と第二変形部３４は、一体とされる。
【００２６】
基部２２は、棒状に形成される。基部２２は、設置状態で、入隅８２に沿って配置される（図２参照）。第一係合部２４は、基部２２に設けられる。コーナー部材１０では、第一係合部２４の数は、２個とされている（図４参照）。第一係合部２４の数は、１個又は３個以上としてもよい。第一係合部２４の数は、諸条件を考慮して適宜決定される。第一係合部２４は、後述する被覆部材４０の第二係合部５０が嵌め込まれる嵌合孔とされる。第一係合部２４としての嵌合孔は、基部２２を着脱方向に貫通する貫通孔とされる（図５参照）。着脱方向は、収容空間Ｓに収容された支持部材２０に対して被覆部材４０が装着される方向（図２参照）に沿った方向である。
【００２７】
第一係合部２４では、高さ方向の寸法は、「寸法Ｌ１＞寸法Ｌ２」に設定される（図５参照）。寸法Ｌ１は、着脱方向の装着側の高さ方向の寸法である。寸法Ｌ２は、着脱方向の離脱側の高さ方向の寸法である。着脱方向の装着側は、設置状態で、入隅８２の側となる。着脱方向の離脱側は、設置状態で入隅８２とは反対の側となる。第一係合部２４では、高さ方向の寸法が寸法Ｌ１，Ｌ２の間で変化する着脱方向の所定の位置に、段差部２６が設けられる。コーナー部材１０では、段差部２６は、テーパ形状とされている。
【００２８】
第一接触部２８は、設置状態で、基部２２より第一端面９２の側に設けられる（図６参照）。第一接触部２８は、設置状態で、第一端面９２と接する。第二接触部３０は、設置状態で、基部２２より第二端面９７の側に設けられる（図６参照）。第二接触部３０は、設置状態で、第二端面９７と接する。コーナー部材１０では、第一接触部２８及び第二接触部３０の数は、各２個とされている（図４参照）。第一接触部２８及び第二接触部３０の数は、１個又は３個以上としてもよい。第一接触部２８及び第二接触部３０の数は、諸条件を考慮して適宜決定される。
【００２９】
支持部材２０が複数の第一係合部２４を含む場合、複数の第一係合部２４は、高さ方向に並んで設けられる。支持部材２０が複数の第一接触部２８を含む場合、複数の第一接触部２８は、高さ方向に並んで設けられる。支持部材２０が複数の第二接触部３０を含む場合、複数の第二接触部３０は、高さ方向に並んで設けられる。但し、第一接触部２８及び第二接触部３０は、同数とし、１組の第一接触部２８及び第二接触部３０は、基部２２に対して高さ方向の同じ位置に設けるとよい（図４参照）。更に、複数の第一係合部２４と複数組の第一接触部２８及び第二接触部３０は、高さ方向に交互に設けるとよい。即ち、支持部材２０では、２個の第一係合部２４と２組の第一接触部２８及び第二接触部３０は、高さ方向の中央側から端側に、第一接触部２８及び第二接触部３０、第一係合部２４、第一接触部２８及び第二接触部３０、第一係合部２４の順で交互に設けられている。
【００３０】
第一変形部３２は、第一接触部２８に設けられる（図４参照）。第一変形部３２は、第二壁面８１と第一端面９２の間隔Ａ（図２参照）に応じた形態へと第一接触部２８を変形させる（図６及び後述する図９参照）。第二変形部３４は、第二接触部３０に設けられる（図４参照）。第二変形部３４は、第一壁面８０と第二端面９７の間隔Ｂ（図２参照）に応じた形態へと第二接触部３０を変形させる（図６及び後述する図９参照）。支持部材２０が２組の第一接触部２８及び第二接触部３０を含む場合、支持部材２０は、２個の第一変形部３２と、２個の第二変形部３４を含む。コーナー部材１０では、第一変形部３２は、設置状態で第一接触部２８の第一壁面８０の側となる面とは反対の面に形成され、第二変形部３４は、設置状態で第二接触部３０の第二壁面８１の側となる面とは反対の面に形成されている。第一変形部３２及び第二変形部３４は、高さ方向に沿った１本のＶ字溝とされている。第一変形部３２及び第二変形部３４を形成する溝の数及び形状は、諸条件を考慮して適宜決定される。第一接触部２８の前述の面における第一変形部３２としての溝の配置は、諸条件を考慮して適宜決定される。第二接触部３０の前述の面における第二変形部３４としての溝の配置は、諸条件を考慮して適宜決定される。
【００３１】
＜被覆部材＞
被覆部材４０について、図１及び図２と図７及び図８を参照して説明する。この説明では、被覆部材４０を特定するために用いる方向は、設置状態のコーナー部材１０を基準とした方向に準ずる。被覆部材４０は、第一被覆部４２と、第二被覆部４４と、第三被覆部４６と、第二係合部５０を含む（図７参照）。被覆部材４０では、第一被覆部４２と第二被覆部４４と第三被覆部４６と第二係合部５０は、一体とされる。
【００３２】
第一被覆部４２は、設置状態で、第一化粧部材９０の表面の側から、第一端部９１と収容空間Ｓを覆う（図１及び図２参照）。第一化粧部材９０の表面は、第一化粧部材９０の第一壁面８０の側となる裏面とは反対の面である。第二被覆部４４は、設置状態で、第二化粧部材９５の表面の側から、第二端部９６と収容空間Ｓを覆う（図１及び図２参照）。第二化粧部材９５の表面は、第二化粧部材９５の第二壁面８１の側となる裏面とは反対の面である。第三被覆部４６は、設置状態で、高さ方向の中央側から、第一端部９１と収容空間Ｓと第二端部９６を覆う（図１及び図２参照）。収容空間Ｓは、着脱方向の離脱側に開口した領域が第一被覆部４２と第二被覆部４４により覆われ、高さ方向の中央側に開口した領域が第三被覆部４６により覆われた状態となる。前述の高さ方向の中央側に開口した領域は、領域Ｒ１に対応する。第三被覆部４６は、高さ方向の端側の面で、基部２２の先端面と接する（図８参照）。基部２２の先端面は、基部２２の高さ方向の中央側の端面である。即ち、第三被覆部４６は、基部２２によって支持される。コーナー部材１０の高さ方向の剛性を向上させることができる。
【００３３】
第三被覆部４６では、縁部４７の高さ方向の中央側の面は、第一壁面８０及び第二壁面８１の各側に向かって高さ方向の端側に傾斜した傾斜面とされる（図７及び図８参照）。縁部４７は、第一壁面８０及び第二壁面８１に沿った第一壁面８０及び第二壁面８１の各側の端縁部分である。実施形態では、縁部４７の高さ方向の中央側の面を「第一面４８」といい、縁部４７の高さ方向の端側の面を「第二面４９」という。縁部４７では、第一面４８と第二面４９は、第一壁面８０及び第二壁面８１の各側端で繋がる（図８参照）。但し、縁部４７は、第一面４８と第二面４９が交わる角（稜角）を面取り形状としてもよい。この場合、第一面４８と第二面４９が第一壁面８０及び第二壁面８１の各側端で繋がった状態は、縁部４７で、第一面４８と第二面４９が交わる角が面取りされた形状である場合を含む。第三被覆部４６の厚みをＨとし、第一面４８と第二面４９が交わる面取り形状の角の高さ方向の寸法をＬ３とした場合（図８参照）、寸法Ｌ３は、０．５Ｈ以下とするとよい。また、寸法Ｌ３は、０．２５Ｈ以下とするとよい。更に、寸法Ｌ３は、０．１２５Ｈ以下とするとよい。寸法Ｌ３は、例えば、後述する第一壁面８０及び第二壁面８１に貼り付けられた壁紙の切断のし易さを考慮して適宜設定するとよい。
【００３４】
実施形態では、第一面４８は、傾斜平面であり、第二面４９は、水平面である。但し、第一面４８は、傾斜平面とは異なる形状の傾斜面であってもよい。例えば、第一面４８は、傾斜曲面であってもよい。第一面４８を傾斜曲面とする場合、前述の傾斜曲面は、凸曲面及び凹曲面の何れであってもよい。即ち、第一面４８は、第一壁面８０及び第二壁面８１の各側に向かって高さ方向の端側に傾斜した各種形状の傾斜面を含む。
【００３５】
第二係合部５０は、被覆部材４０の裏面（背面）に設けられる（図７参照）。被覆部材４０の裏面は、着脱方向の装着側となる面である。更に、第二係合部５０は、第一被覆部４２と第二被覆部４４が接する出隅状の境界部分に形成される。被覆部材４０では、第二係合部５０は、支持部材２０での第一係合部２４の位置に対応させて、第一係合部２４と同じ数だけ設けられる。上述した通り、コーナー部材１０では、支持部材２０は、２個の第一係合部２４を含む（図４参照）。従って、被覆部材４０では、２個の第二係合部５０が前述の出隅状の境界部分に２個の第一係合部２４に対応させた状態でそれぞれ設けられる。
【００３６】
第二係合部５０は、第一係合部２４と係合する（図８参照）。第二係合部５０には、２本の梁部５２が着脱方向の装着側に設けられる。第二係合部５０では、２本の梁部５２は、高さ方向に所定量だけ離間する。２本の梁部５２は、高さ方向に弾性変形する。梁部５２の着脱方向の装着側となる先端部には、爪部５４が形成される。２本の梁部５２のうち、高さ方向の中央側に設けられる梁部５２では、爪部５４は、高さ方向の中央側に突出した形状とされる。２本の梁部５２のうち、高さ方向の端側に設けられる梁部５２では、爪部５４は、高さ方向の端側に突出した形状とされる。第二係合部５０が第一係合部２４としての嵌合孔に嵌め込まれた状態で、２本の梁部５２の各爪部５４は、段差部２６に引っ掛かる。
【００３７】
コーナー部材１０では、支持部材２０と被覆部材４０を分離させる場合、被覆部材４０が着脱方向の離脱側に引っ張られる。第二係合部５０では、２個の梁部５２は、互いが接近する高さ方向の側にそれぞれ弾性変形する。支持部材２０と被覆部材４０では、２組の第一係合部２４及び第二係合部５０で、段差部２６と爪部５４の引っ掛かりがそれぞれ解除される。これに伴い、支持部材２０と被覆部材４０は、分離する。
【００３８】
＜実施形態の効果＞
実施形態によれば、次のような効果を得ることができる。
【００３９】
（１）コーナー部材１０は、支持部材２０と、被覆部材４０を備える（図３参照）。支持部材２０は、収容空間Ｓに収容される（図２参照）。支持部材２０には、第一係合部２４が設けられる（図４及び図５参照）。被覆部材４０には、第二係合部５０が設けられる（図７参照）。コーナー部材１０では、第一係合部２４と第二係合部５０が係合される（図３及び図８参照）。
【００４０】
建築現場では、第一壁面８０の寸法に合わせて第一化粧部材９０が切断され、第二壁面８１の寸法に合わせて第二化粧部材９５が切断される。その後、第一化粧部材９０が第一壁面８０に固定され、第二化粧部材９５が第二壁面８１に固定される。第一化粧部材９０及び第二化粧部材９５の固定は、第一化粧部材９０及び第二化粧部材９５が第一壁面８０及び第二壁面８１からそれぞれ浮き上がらず、且つ脱落するといったことがないような手法にて行われる。そこで、第一化粧部材９０及び第二化粧部材９５の固定には、例えば、釘が用いられることがある。第一化粧部材９０の第一端部９１に釘が打たれた場合、第一化粧部材９０は、第一端部９１で第一壁面８０と強固に固定される。第二化粧部材９５の第二端部９６に釘が打たれた場合、第二化粧部材９５は、第二端部９６で第二壁面８１と強固に固定される。その結果、コーナー部材１０とは異なる公知のコーナー部材では、第一壁面８０と第一端部９１の間及び第二壁面８１と第二端部９６の間に、公知のコーナー部材の所定の部分をそれぞれ嵌め込むといった作業が困難となる場合もある。
【００４１】
コーナー部材１０によれば、収容空間Ｓに収容された支持部材２０により被覆部材４０を支持することができる。入隅８２に、コーナー部材１０を容易に設置することができる。上述した通り、第一化粧部材９０及び第二化粧部材９５が第一壁面８０及び第二壁面８１にそれぞれ設けられることで、収容空間Ｓが形成される。その後、支持部材２０が収容空間Ｓに収容され、被覆部材４０が収容空間Ｓに収容された支持部材２０に装着される。即ち、被覆部材４０の第二係合部５０が収容空間Ｓに収容された支持部材２０の第一係合部２４に係合される。建築現場での作業を単純化できる。被覆部材４０により、第一端部９１と第二端部９６と収容空間Ｓを覆うことができる。
【００４２】
（２）支持部材２０には、第一接触部２８と第二接触部３０が設けられる（図４参照）。第一接触部２８は、基部２２より第一端面９２の側に設けられ、第一端面９２と接する（図２及び図６参照）。第二接触部３０は、基部２２より第二端面９７の側に設けられ、第二端面９７と接する（図２及び図６参照）。そのため、第一接触部２８に作用する第一端面９２からの反力と第二接触部３０に作用する第二端面９７からの反力により、収容空間Ｓに収容された支持部材２０を入隅８２に固定することができる。
【００４３】
第一係合部２４と第二係合部５０を係合させることで、支持部材２０を着脱方向の離脱側に引っ張ることができる。換言すれば、第一係合部２４と第二係合部５０を係合させることで、被覆部材４０を着脱方向の装着側に引っ張ることができる。第二係合部５０の着脱方向の寸法Ｌ４（図８参照）に応じて、支持部材２０及び被覆部材４０に対する引張力が調整される。第二係合部５０の寸法Ｌ４は、第二係合部５０の着脱方向の離脱側端から爪部５４の根元までの寸法である。この引張力によっても、第一接触部２８を第一端面９２に押し付け、第二接触部３０を第二端面９７に押し付けることができる。この引張力により、第一被覆部４２を第一端部９１に押し付け、第二被覆部４４を第二端部９６に押し付けることができる。
【００４４】
（３）支持部材２０には、第一変形部３２と第二変形部３４が設けられる（図４参照）。第一変形部３２は、第一接触部２８に設けられる。第一変形部３２は、第二壁面８１と第一端面９２の間隔Ａに応じた形態へと第一接触部２８を変形させる。第二変形部３４は、第二接触部３０に設けられる。第二変形部３４は、第一壁面８０と第二端面９７の間隔Ｂに応じた形態へと第二接触部３０を変形させる。
【００４５】
そのため、支持部材２０に、収容空間Ｓの大きさに対する柔軟性を持たせることができる。上述した通り、建築現場では、第一化粧部材９０が切断され、第二化粧部材９５が切断される。従って、第一化粧部材９０及び第二化粧部材９５の各寸法に、切断による誤差が生じることがある。それ故、建築現場では、間隔Ａ，Ｂ（図２参照）は、第一化粧部材９０及び第二化粧部材９５の寸法により変化することが想定される。例えば、間隔Ａ，Ｂが図６に示す間隔Ａ１，Ｂ１より狭い間隔Ａ２，Ｂ２になったとする（図９参照）。この場合、第一接触部２８は、第一変形部３２で屈曲し、第二接触部３０は、第二変形部３４で屈曲する（図９参照）。即ち、第一変形部３２により、間隔Ａ２に応じた形態（形状）へと第一接触部２８を変形させることができる。第二変形部３４により、間隔Ｂ２に応じた形態（形状）へと第二接触部３０を変形させることができる。収容空間Ｓの大きさのばらつきに適宜対応することができる。第一化粧部材９０及び第二化粧部材９５に対する寸法精度の要求を抑制することができる。
【００４６】
＜変形例＞
実施形態は、次のようにすることもできる。以下に示す変形例のうちの幾つかの構成は、適宜組み合わせて採用することもできる。以下では、上記とは異なる点を説明することとし、同様の点についての説明は、適宜省略する。
【００４７】
（１）支持部材２０では、第一変形部３２は、第一接触部２８に設けられた高さ方向に沿った溝とされ、第二変形部３４は、第二接触部３０に設けられた高さ方向に沿った溝とされる（図４参照）。第一変形部は、第二壁面８１と第一端面９２の間隔Ａ（図２参照）に応じた形態へと第一接触部を変形させることができる形状であればよい。第二変形部は、第一壁面８０と第二端面９７の間隔Ｂ（図２参照）に応じた形態へと第二接触部を変形させることができる形状であればよい。例えば、第一変形部及び第二変形部は、図１０に示すような筒状の変形部３８としてもよい。図１０は、筒状の第一変形部による第一接触部及び筒状の第二変形部による第二接触部の各変形の状態を示す説明用の便宜的な図である。図１０に示す接触部３６及び変形部３８は、第一接触部及び第一変形部と第二接触部及び第二変形部の何れの組み合わせにも対応する。
【００４８】
例えば、間隔Ａ，Ｂが間隔Ａ１，Ｂ１（図６参照）より狭い間隔Ａ２，Ｂ２（図９参照）であったとする。間隔Ａ，Ｂが間隔Ａ１，Ｂ１である場合、変形部３８は、図１０上段に示す状態となるとする。間隔Ａ，Ｂが間隔Ａ２，Ｂ２である場合、変形部３８は、図１０上段に示す状態と比較し、図１０下段に示すように、更に、次の方向に押し潰れた形状となる。変形部３８は、このようにして接触部３６を変形させる。接触部３６が第一接触部であり、変形部３８が第一変形部である場合、前述の方向は、第一壁面８０に沿った方向である。接触部３６が第二接触部であり、変形部３８が第二変形部である場合、前述の方向は、第二壁面８１に沿った方向である。支持部材では、第一接触部２８及び第一変形部３２と第二接触部３０及び第二変形部３４の各組み合わせと同様（図６及び図９参照）、変形部３８によって、接触部３６の先端が変形部３８を基点として所定の角度範囲を移動可能としてもよい。
【００４９】
支持部材２０では、第一変形部３２は、第一接触部２８に設けられ、第二変形部３４は、第二接触部３０に設けられる（図４参照）。第一変形部及び第二変形部は、前述の各位置とは異なる位置に設けられてもよい。第一変形部は、例えば、基部と第一接触部の間に設けられてもよい。基部と第一接触部は、第一変形部を介して繋がる。第二変形部は、例えば、基部と第二接触部の間に設けられてもよい。基部と第二接触部は、第二変形部を介して繋がる。支持部材では、第一接触部２８及び第一変形部３２の組み合わせと同様（図６及び図９参照）、第一接触部は、第一変形部によって、先端が第一変形部を基点として所定の角度範囲を移動可能となる。第一変形部は、第一接触部の先端を所定の角度範囲を移動可能とすることで、第二壁面８１と第一端面９２の間隔Ａに応じた形態へと第一接触部を変形させる。また、支持部材では、第二接触部３０及び第二変形部３４の組み合わせと同様（図６及び図９参照）、第二接触部は、第二変形部によって、先端が第二変形部を基点として所定の角度範囲を移動可能となる。第二変形部は、第二接触部の先端を所定の角度範囲を移動可能とすることで、第一壁面８０と第二端面９７の間隔Ｂに応じた形態へと第二接触部を変形させる。
【００５０】
（２）被覆部材４０では、第三被覆部４６で縁部４７の第一面４８は、第一壁面８０及び第二壁面８１の各側に向かって高さ方向の端側に傾斜した傾斜面とされる（図７及び図８参照）。第三被覆部では、縁部の第一面は、傾斜面とは異なる形状としてもよい。例えば、縁部の第一面は、図１１上段に示す形状としてもよい。図１１上段では、図１〜図９に基づく実施形態との対応を明らかにするため、各部に対する符号は、上記同様としている。図１１上段に示すコーナー部材１０の被覆部材４０では、第三被覆部４６で縁部４７の第一面４８は、第一壁面８０及び第二壁面８１に対して垂直な水平面とされる。この場合、第一面４８は、第二面４９と平行になる。
【００５１】
図１１上段に示すコーナー部材１０を第一化粧部材９０及び第二化粧部材９５と共に角部としての入隅８２に設置した場合、次の側面と第三被覆部４６の間には、第三被覆部４６の厚みＨ分の段差Ｔが次の境界位置に生じる。前述の側面は、第一化粧部材９０及び第二化粧部材９５の高さ方向の中央側となる各側面である。前述の境界位置は、前述の側面のうち、第三被覆部４６により覆われなくなる位置である。例えば、建物では、第一壁面８０及び第二壁面８１に壁紙が貼られることがある。図１〜図９に示すコーナー部材１０によれば、図１１上段に示すコーナー部材１０を設置した場合のような段差Ｔは、発生しない（図１１下段参照）。従って、建築現場での壁紙の施工を、スムーズに行うことができる。例えば、第一壁面８０に貼られた壁紙を、第一化粧部材９０及びコーナー部材１０に沿って直線的に切断することができる。第二壁面８１に貼られた壁紙を、第二化粧部材９５及びコーナー部材１０に沿って直線的に切断することができる。図１１上段に示すコーナー部材１０では、壁紙を切断するに際し、例えば、このコーナー部材１０を入隅８２から取り外すといった追加の作業が必要となることが想定される。また、次の各領域には、第一化粧部材９０及び第二化粧部材９５は設けられない。前述の各領域は、収容空間Ｓに対応する第一壁面８０の領域（図２の「間隔Ａ」の領域参照）及び第二壁面８１の領域（図２の「間隔Ｂ」の領域参照）である。前述の各領域は、第一端面９２及び第二端面９７と共に、収容空間Ｓを形成する。そのため、図１１上段に示すコーナー部材１０では、前述の各領域で第一化粧部材９０及び第二化粧部材９５の何れかに沿って壁紙を直線的に切断する場合、次のような用具を別途用いなければならなくなることも想定される。前述の用具は、前述の各領域で壁紙の直線的な切断を補助するための道具である。図１〜図９に示すコーナー部材１０では、このような追加の作業は、行わなくてよく、更に、前述の用具は、不要である。図１１上段に示すコーナー部材１０は、例えば、第一壁面８０及び第二壁面８１に壁紙が貼られない場合に採用するとよい。
【００５２】
上記の点に基づけば、図１〜図９に基づき上述した実施形態から、次のようなコーナー部材を特定することもできる。この点について、説明する。この説明では、図１〜図９に示すコーナー部材１０と区別するため、新たに特定されるコーナー部材を「第二のコーナー部材１０」という。図１〜図９に示すコーナー部材１０の各部と同じ又は対応する第二のコーナー部材１０の各部に対する符号は、上記同様とする。
【００５３】
第二のコーナー部材１０は、例えば、幅木及び回り縁の何れかである化粧部材が設けられた建物内の第一壁面８０及び第二壁面８１による角部としての入隅８２に化粧部材と共に設置されるコーナー部材である。第二のコーナー部材１０は、被覆部材４０を備える。被覆部材４０は、第二のコーナー部材１０が入隅８２に設置された設置状態で、第一壁面８０に設けられた化粧部材としての第一化粧部材９０の第二壁面８１の側となる第一端部９１と、第二壁面８１に設けられた化粧部材としての第二化粧部材９５の第一壁面８０の側となる第二端部９６と、入隅８２に対応し且つ第一端部９１及び第二端部９６と隣り合う角空間を覆う。前述の角空間は、収容空間Ｓ（図２参照）である。収容空間Ｓは、上述した通り、第一壁面８０に設けられた第一化粧部材９０の第一端部９１の第一端面９２と、第二壁面８１に設けられた第二化粧部材９５の第二端部９６の第二端面９７と、入隅８２に対応する第一壁面８０及び第二壁面８１の各領域に囲まれた空間ともいえる。
【００５４】
被覆部材４０は、第一被覆部４２と、第二被覆部４４と、第三被覆部４６を含む。第一被覆部４２は、第一化粧部材９０の第一壁面８０の側となる裏面とは反対の表面の側から、第一端部９１と角空間（収容空間Ｓ）を覆う。第二被覆部４４は、第二化粧部材９５の第二壁面８１の側となる裏面とは反対の表面の側から、第二端部９６と角空間（収容空間Ｓ）を覆う。第三被覆部４６は、第一壁面８０及び第二壁面８１の高さ方向の中央側から、第一端部９１と角空間（収容空間Ｓ）と第二端部９６を覆う。被覆部材４０では、第一被覆部４２と第二被覆部４４と第三被覆部４６は、一体とされる。第三被覆部４６では、第一壁面８０及び第二壁面８１に沿った第一壁面８０及び第二壁面８１の各側の縁部４７の高さ方向の中央側の面（第一面４８）は、第一壁面８０及び第二壁面８１の各側に向かって高さ方向の中央側とは反対の端側に傾斜した傾斜面とされる。
【００５５】
第二のコーナー部材１０は、公知のコーナー部材と同様の手法により入隅８２に設置されてもよい。この場合、支持部材２０は、省略してもよい。第二のコーナー部材１０で支持部材２０が省略される場合、実質的には、被覆部材４０が第二のコーナー部材１０となることもある。第二のコーナー部材１０では、入隅８２への設置用として、公知の構成を含めてもよい。第二のコーナー部材１０は、更に、第一壁面８０及び第二壁面８１による角部が出隅８３である場合に用いられる出隅用のコーナー部材に応用することもできる（図１２参照）。図１２では、図１〜図９及び図１１下段に基づく実施形態との対応を明らかにするため、各部に対する符号は、上記同様としている。図１２に示す出隅用のコーナー部材１０では、被覆部材４０は、このコーナー部材１０が出隅８３に設置された設置状態で、第一壁面８０に設けられた第一化粧部材９０の第二壁面８１の側となる第一端部９１（図１３参照）と、第二壁面８１に設けられた第二化粧部材９５の第一壁面８０の側となる第二端部９６（図１３参照）と、出隅８３に対応し且つ第一端部９１及び第二端部９６と隣り合う角空間を覆う。図１３で、二点鎖線で示す領域Ｒ２は、前述の角空間に対応する便宜上の図示である。領域Ｒ２は、前述の角空間を平面視した形状に対応する。図１３で、領域Ｒ２と角空間の対応を示す４本の細線における矢印は、視認方向を示す。即ち、第三被覆部４６で縁部４７の第一面４８を傾斜面とする構成は、第一壁面８０及び第二壁面８１が出会う入隅８２又は出隅８３といった角部に設置される各種のコーナー部材に採用することができる。
【００５６】
（３）支持部材２０には、第一接触部２８と第二接触部３０が設けられる（図４参照）。支持部材２０は、収容空間Ｓに収容される（図２参照）。第一接触部２８は、第一端面９２に接し、第二接触部３０は、第二端面９７に接する（図６及び図９参照）。これに伴い、支持部材２０は、収容空間Ｓに収容された状態で、入隅８２に固定される。支持部材では、第一接触部２８と第二接触部３０は、省略してもよい。この場合、第一変形部３２と第二変形部３４も、省略される。支持部材で第一接触部２８と第二接触部３０が省略される場合、この支持部材の固定は、例えば、接着剤及び粘着テープの何れか一方又は両方によって行うようにしてもよい。第一接触部２８と第二接触部３０を含む支持部材２０の固定に、接着剤及び粘着テープの何れか一方又は両方を併用してもよい。
【００５７】
第一接触部２８は、基部２２から第一端面９２の側に突出した形状とされ、第二接触部３０は、基部２２から第二端面９７の側に突出した形状とされる（図２及び図４参照）。第一接触部は、第一端面９２の側に設けられ、第一端面９２と接する構成であればよい。第二接触部は、第二端面９７の側に設けられ、第二端面９７と接する構成であればよい。支持部材は、例えば、基部を円柱とし、第一端面９２を円柱の基部の外周面に接させ、第二端面９７を円柱の基部の外周面に接させるようにしてもよい。この場合、第一接触部は、基部の外周面のうち、第一端面９２の側に設けられ、第一端面９２と接する領域により形成される。第二接触部は、基部の外周面のうち、第二端面９７の側に設けられ、第二端面９７と接する領域により形成される。
【００５８】
（４）支持部材２０は、樹脂成形により一体成形される。支持部材２０では、基部２２に第一接触部２８と第二接触部３０が設けられる（図４参照）。支持部材の形成は、例えば、次のようにしてもよい。即ち、第一接触部及び第二接触部が基部とは別に形成される。その後、第一接触部及び第二接触部が基部に取り付けられる。これに伴い、一体の支持部材が形成される。この場合、基部と第一接触部及び第二接触部は、異なる材質としてもよい。例えば、第一接触部及び第二接触部は、基部より弾性の高い高弾性材としてもよい。前述の高弾性材としては、ゴム又はエラストマーが例示される。この場合、支持部材では、第一変形部及び第二変形部は、省略してもよい。第一接触部及び第二接触部は、それ自体が変形することとなる。
【００５９】
（５）コーナー部材１０では、第一係合部２４が嵌合孔とされ、第二係合部５０は、第一係合部２４としての嵌合孔に嵌め込まれる（図８参照）。支持部材及び被覆部材にそれぞれ設けられる第一係合部及び第二係合部は、次のような構成としてもよい。即ち、支持部材では、第一係合部は、基部から着脱方向の離脱側に突出した第二係合部５０と同様の形状の係合部としてもよい。被覆部材では、第二係合部は、第一係合部２４と同様の嵌合孔による係合部としてもよい。但し、第二係合部としての嵌合孔は、第一被覆部４２及び第二被覆部４４により封鎖された底を有する形状とされる。被覆部材では、第二係合部は、第二係合部５０が形成された部分に、嵌合孔の外周壁が着脱方向の装着側に突出した状態で設けられる。被覆部材は、支持部材の第一係合部の爪部が被覆部材の第二係合部としての嵌合孔の段差部に引っ掛かった状態で、支持部材に支持される。
【００６０】
（６）第一化粧部材９０及び第二化粧部材９５が幅木である場合を例として説明した。上述したコーナー部材１０（図１〜図１２参照）は、回り縁である第一化粧部材及び第二化粧部材が設けられた入隅８２及び出隅８３の何れの角部にも設置することができる。第一化粧部材及び第二化粧部材が回り縁である場合、上述した高さ方向の端側は、鉛直方向の上側となる。回り縁が設けられた角部へのコーナー部材１０の設置は、上記同様に行われる。第一化粧部材及び第二化粧部材が回り縁である場合について、この他の説明は、省略する。
【符号の説明】
【００６１】
１０  コーナー部材、  ２０  支持部材、  ２２  基部、  ２４  第一係合部
２６  段差部、  ２８  第一接触部、  ３０  第二接触部、  ３２  第一変形部
３４  第二変形部、  ３６  接触部、  ３８  変形部、  ４０  被覆部材
４２  第一被覆部、  ４４  第二被覆部、  ４６  第三被覆部、  ４７  縁部
４８  第一面、  ４９  第二面、  ５０  第二係合部、  ５２  梁部、  ５４  爪部
８０  第一壁面、  ８１  第二壁面、  ８２  入隅、  ８３  出隅、  ８４  床面
９０  第一化粧部材、  ９１  第一端部、  ９２  第一端面、  ９５  第二化粧部材
９６  第二端部、  ９７  第二端面、  Ａ，Ａ１，Ａ２，Ｂ，Ｂ１，Ｂ２  間隔
Ｈ  厚み、  Ｌ１，Ｌ２，Ｌ３，Ｌ４  寸法、  Ｍ  中心線、  Ｒ１，Ｒ２  領域
Ｓ  収容空間、  Ｔ  段差
【図１】
2018204428.tif 000003
【図２】
2018204428.tif 000004
【図３】
2018204428.tif 000005
【図４】
2018204428.tif 000006
【図５】
2018204428.tif 000007
【図６】
2018204428.tif 000008
【図７】
2018204428.tif 000009
【図８】
2018204428.tif 000010
【図９】
2018204428.tif 000011
【図１０】
2018204428.tif 000012
【図１１】
2018204428.tif 000013
【図１２】
2018204428.tif 000014
【図１３】
2018204428.tif 000015